(57)【要約】【課題】表示装置間の非表示領域の視認が大幅に低減され、画像の連続性が高く、良好な画像を表示可能な配列型表示装置を提供する。【解決手段】配列型表示装置１００は、表示装置１０Ａ〜１０Ｄと、その観察者側に配置される透明板２０Ａ〜２０Ｄとを備えるものとした。透明板２０Ａ〜２０Ｄは、隣り合う透明板と接して配置され、表示装置側の面であって、正面方向から見て表示部１１Ａ〜１１Ｄの非表示部１２Ａ〜１２Ｄに隣接する外周部に相当する位置に設けられた第２平面部２５Ａ〜２５Ｄと、第２平面部２５Ａ〜２５Ｄの内周側に隣接して設けられ、観察者側に凸となる形状であり、曲面又は複数の斜面から形成される入光側偏向部２４Ａ〜２４Ｄと、観察者側の面の外周部であって、非表示部１２Ａ〜１２Ｄに相当する位置に設けられ、観察者側に凸となる形状であり、曲面又は複数の斜面から形成される出光側偏向部２２Ａ〜２２Ｄとを備えるものとした。【選択図】図３
2015111220.tif 000002
【特許請求の範囲】
【請求項１】
複数の表示装置を配列して形成された配列型表示装置であって、
前記複数の表示装置は、それぞれ、画像を表示可能な表示部の外周側に画像を表示しない非表示部を有し、
前記複数の表示装置は、それぞれ、前記表示部より観察者側に、前記表示部及び前記非表示部を被覆する透明板を備え、
前記各透明板は、
隣り合う透明板と接して配置され、
前記表示装置側の面であって、前記表示装置の正面方向から見て前記表示部の前記非表示部に隣接する外周部に相当する位置に設けられた外周側平面部と、
前記表示装置側の面であって、前記表示装置の正面方向から見て前記外周側平面部の内周側に隣接して設けられ、観察者側に凸となる形状であり、曲面、又は、複数の斜面から形成される入光側偏向部と、
観察者側の面の外周部であって、前記表示装置の正面方向から見て少なくとも前記非表示部に相当する位置に設けられ、観察者側に凸となる形状であり、曲面、又は、複数の斜面から形成される出光側偏向部と、
を備えること、
を特徴とする配列型表示装置。
【請求項２】
請求項１に記載の配列型表示装置において、
前記透明板の側面及び前記表示部の表示面に直交する断面において、
前記透明板の厚み方向において前記出光側偏向部の最も前記表示装置側となる点を点Ｔ１、
前記点Ｔ１を通り、前記透明板の板面に垂直な線と、前記外周側平面部を含む平面との交点を点Ｔ２、
前記Ｔ１点を通り、前記透明板の板面に垂直な線と、前記表示部の表示面を含む平面との交点を点Ｔ３、
前記表示部の表示面の最外周の点を点Ｔ４、
前記点Ｔ１と前記Ｔ２との前記透明板の厚み方向における距離をＨ、
前記点Ｔ３と前記点Ｔ４との距離をＷ、
前記出光側偏向部の点Ｔ１における接線が前記透明板の板面に垂直な方向となす角度をθ、
前記透明板の屈折率をＮとするとき、
Ｈ≧Ｗ／（ｔａｎ（α））
α＝９０°−（θ＋ａｒｃｓｉｎ（１／Ｎ））
という式を満たすこと、
を特徴とする配列型表示装置。
【請求項３】
請求項１又は請求項２に記載の配列型表示装置において、
前記透明板の側面及び前記表示部の表示面に直交する断面において、
前記透明板の厚み方向において前記出光側偏向部の最も前記表示装置側となる点を点Ｔ１、
前記点Ｔ１を通り、前記透明板の板面に垂直な線と、前記外周側平面部を含む平面との交点を点Ｔ２、
前記Ｔ１点を通り、前記透明板の板面に垂直な線と、前記表示部の表示面を含む平面との交点を点Ｔ３、
前記表示部の表示面の最外周の点を点Ｔ４、
前記外周側平面部と前記入光側偏向部の交点を点Ｔ５、
前記点Ｔ１と前記Ｔ２との前記透明板の厚み方向における距離をＨ、
前記点Ｔ３と前記点Ｔ４との距離をＷ、
前記点Ｔ２と前記点Ｔ５との距離をＤ１、
前記出光側偏向部の点Ｔ１における接線が前記透明板の板面に垂直な方向となす角度をθ、
前記透明板の屈折率をＮとするとき、
Ｄ１＝Ｈ×ｔａｎ（９０°−（θ＋ａｒｃｓｉｎ（（ｓｉｎ（９０°−２θ））／Ｎ）））
という式を満たすこと、
を特徴とする配列型表示装置。
【請求項４】
請求項１から請求項３までのいずれか１項に記載の配列型表示装置において、
前記透明板の側面及び前記表示部の表示面に直交する断面において、
前記透明板の厚み方向において前記出光側偏向部の最も前記表示装置側となる点を点Ｔ１、
前記点Ｔ１を通り、前記透明板の板面に垂直な線と、前記外周側平面部を含む平面との交点を点Ｔ２、
前記Ｔ１点を通り、前記透明板の板面に垂直な線と、前記表示部の表示面を含む平面との交点を点Ｔ３、
前記表示部の表示面の最外周の点を点Ｔ４、
前記点Ｔ１と前記Ｔ２との前記透明板の厚み方向における距離をＨ、
前記点Ｔ３と前記点Ｔ４との距離をＷ、
前記出光側偏向部の点Ｔ１における接線が前記透明板の板に垂直な方向となす角度をθ、
前記透明板の屈折率をＮとするとき、
Ｈ≦１．１×Ｗ／（ｔａｎ（α））
α＝９０°−（θ＋ａｒｃｓｉｎ（１／Ｎ））
という式を満たすこと、
を特徴とする配列型表示装置。
【請求項５】
請求項１から請求項４までのいずれか１項に記載の配列型表示装置において、
前記入光側偏向部は、
前記透明板の内周側から外周側に向かうにつれて、前記表示部との距離が小さくなり、
前記曲面の接平面又は前記斜面が前記表示部の表示面となす角度が、前記透明板の内周側から外周側に向かうにつれて大きくなること、
を特徴とする配列型表示装置。
【請求項６】
請求項１から請求項５までのいずれか１項に記載の配列型表示装置において、
前記出光側偏向部は、
前記透明板の内周側から外周側に向かうにつれて、前記表示部との距離が小さくなり、
前記曲面の接平面又は前記斜面が前記表示部の表示面に平行な面となす角度が、内周側から外周側に向かうにつれてしだいに大きくなること、
を特徴とする配列型表示装置。
【発明の詳細な説明】
【技術分野】
【０００１】
本発明は、複数の表示装置を配列して表示画面を形成する配列型表示装置に関するものである。
【背景技術】
【０００２】
背面投射型表示装置、プラズマ表示装置、液晶表示装置、有機ＥＬ（Ｅｌｅｃｔｒｏ−Ｌｕｍｉｎｅｓｃｅｎｃｅ）（有機ＬＥＤ（ｌｉｇｈｔ−ｅｍｉｔｔｉｎｇ  ｄｉｏｄｅ））表示装置等を配列して、画面サイズを拡大した配列型表示装置は、数十インチ以上の大型の表示画面が必要なデジタルサイネイジや制御監視等に広く用いられている。
このような配列型表示装置に関しては、より良好な画像を表示するために、その画面の耐候性や画面の平面性、視認性の向上等が図られている（例えば、特許文献１，２参照）。
【先行技術文献】
【特許文献】
【０００３】
【特許文献１】特開２００７−１９２９７７号公報
【特許文献２】国際公開第２００８／１４９４４９号
【発明の概要】
【発明が解決しようとする課題】
【０００４】
しかし、例えば、背面投射型表示装置では、背面投射型スクリーンを保持するための枠構造が必要であり、プラズマ表示装置、液晶表示装置、有機ＥＬ表示装置では、表示装置の表示部がガラス製のパネルであるので、パネルを保持するための枠構造が必要である。また、表示画面の周縁部には、画像を表示するための配線部等も存在している。
そのため、これらの配線部や枠構造等によって、いずれの表示装置においても表示装置の周辺部に画像の表示できない非表示領域が生じる。そして、これらの表示装置を配列して配列型表示装置を構成すると、表示装置間に、画像の表示できない非表示領域によって枠状の継目部分（目地部分）ができてしまう。この表示装置間の継目部分は、映像が表示されないため、配列型表示装置としての画像の連続性が低下して画質が低下する等の問題がある。
【０００５】
特許文献１では、継目部分の上に、有機ＬＥＤを配置して、継目部分を解消するという手法が開示されている。しかし、この手法では、有機ＬＥＤの周辺部には電極が必要なので、実際には、その電極部分が非表示領域となってしまう。また、特許文献１に開示される構成は、構造が複雑であり、生産コストの増加を招くという問題があった。
【０００６】
また、特許文献２では、表示装置の観察者側に、周縁部の表示装置側に凹レンズ形状、周縁部の観察者側に凸レンズ形状が形成された光学部材を配置して、継目部分を解消するという手法が開示されている。しかし、この手法では、その光学部材の非表示領域に対応する領域から画面中央側へ進む光量が減少してしまうため、画面中央側から斜めに画面外周部を観察した場合には、非表示領域が視認されるという問題があった。
【０００７】
本発明の課題は、表示装置間の非表示領域の視認が大幅に低減され、画像の連続性が高く、良好な画像を表示可能な配列型表示装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、複数の表示装置（１０Ａ〜１０Ｄ）を配列して形成された配列型表示装置であって、前記複数の表示装置は、それぞれ、画像を表示可能な表示部（１１Ａ〜１１Ｄ）の外周側に画像を表示しない非表示部（１２Ａ〜１２Ｄ）を有し、前記複数の表示装置は、それぞれ、前記表示部より観察者側に、前記表示部及び前記非表示部を被覆する透明板（２０Ａ〜２０Ｄ）を備え、前記各透明板は、隣り合う透明板と接して配置され、前記表示装置側の面であって、前記表示装置の正面方向から見て前記表示部の前記非表示部に隣接する外周部に相当する位置に設けられた外周側平面部（２５Ａ）と、前記表示装置側の面であって、前記表示装置の正面方向から見て前記外周側平面部の内周側に隣接して設けられ、観察者側に凸となる形状であり、曲面、又は、複数の斜面から形成される入光側偏向部（２４Ａ）と、観察者側の面の外周部であって、前記表示装置の正面方向から見て少なくとも前記非表示部に相当する位置に設けられ、観察者側に凸となる形状であり、曲面、又は、複数の斜面から形成される出光側偏向部（２２Ａ）と、を備えること、を特徴とする配列型表示装置（１００）である。
請求項２の発明は、請求項１に記載の配列型表示装置において、前記透明板（２０Ａ〜２０Ｄ）の側面及び前記表示部（１１Ａ〜１１Ｄ）の表示面に直交する断面において、前記透明板の厚み方向において前記出光側偏向部の最も前記表示装置側となる点を点Ｔ１、前記点Ｔ１を通り、前記透明板の板面に垂直な線と、前記外周側平面部を含む平面との交点を点Ｔ２、前記Ｔ１点を通り、前記透明板の板面に垂直な線と、前記表示部の表示面を含む平面との交点を点Ｔ３、前記表示部の表示面の最外周の点を点Ｔ４、前記点Ｔ１と前記Ｔ２との前記透明板の厚み方向における距離をＨ、前記点Ｔ３と前記点Ｔ４との距離をＷ、前記出光側偏向部の点Ｔ１における接線が前記透明板の板に垂直な方向となす角度をθ、前記透明板の屈折率をＮとするとき、Ｈ≧Ｗ／（ｔａｎ（α））、α＝９０°−（θ＋ａｒｃｓｉｎ（１／Ｎ））という式を満たすこと、を特徴とする配列型表示装置（１００）である。
請求項３の発明は、請求項１又は請求項２に記載の配列型表示装置において、前記透明板（２０Ａ〜２０Ｄ）の側面及び前記表示部（１１Ａ〜１１Ｄ）の表示面に直交する断面において、前記透明板の厚み方向において前記出光側偏向部の最も前記表示装置側となる点を点Ｔ１、前記点Ｔ１を通り、前記透明板の板面に垂直な線と、前記外周側平面部を含む平面との交点を点Ｔ２、前記Ｔ１点を通り、前記透明板の板面に垂直な線と、前記表示部の表示面を含む平面との交点を点Ｔ３、前記表示部の表示面の最外周の点を点Ｔ４、前記外周側平面部（２５Ａ）と前記入光側偏向部（２４Ａ）の交点を点Ｔ５、前記点Ｔ１と前記Ｔ２との前記透明板の厚み方向における距離をＨ、前記点Ｔ３と前記点Ｔ４との距離をＷ、前記点Ｔ２と前記点Ｔ５との距離をＤ１、前記出光側偏向部（２２Ａ）の点Ｔ１における接線（ＴＡ）が前記透明板の板面に垂直な方向となす角度をθ、前記透明板の屈折率をＮとするとき、Ｄ１＝Ｈ×ｔａｎ（９０°−（θ＋ａｒｃｓｉｎ（（ｓｉｎ（９０°−２θ））／Ｎ）））という式を満たすこと、を特徴とする配列型表示装置（１００）である。
請求項４の発明は、請求項１から請求項３までのいずれか１項に記載の配列型表示装置において、前記透明板（２０Ａ〜２０Ｄ）の側面及び前記表示部（１１Ａ〜１１Ｄ）の表示面に直交する断面において、前記透明板の厚み方向において前記出光側偏向部（２２Ａ）の最も前記表示装置側となる点を点Ｔ１、前記点Ｔ１を通り、前記透明板の板面に垂直な線と、前記外周側平面部を含む平面との交点を点Ｔ２、前記Ｔ１点を通り、前記透明板の板面に垂直な線と、前記表示部の表示面を含む平面との交点を点Ｔ３、前記表示部の表示面の最外周の点を点Ｔ４、前記点Ｔ１と前記Ｔ２との前記透明板の厚み方向における距離をＨ、前記点Ｔ３と前記点Ｔ４との距離をＷ、前記出光側偏向部の点Ｔ１における接線が前記透明板の板に垂直な方向となす角度をθ、前記透明板の屈折率をＮとするとき、Ｈ≦１．１×Ｗ／（ｔａｎ（α））、α＝９０°−（θ＋ａｒｃｓｉｎ（１／Ｎ））という式を満たすこと、を特徴とする配列型表示装置（１００）である。
請求項５の発明は、請求項１から請求項４までのいずれか１項に記載の配列型表示装置において、前記入光側偏向部（２４Ａ）は、前記透明板（２０Ａ〜２０Ｄ）の内周側から外周側に向かうにつれて、前記表示部（１１Ａ〜１１Ｄ）との距離が小さくなり、前記曲面の接平面又は前記斜面が前記表示部の表示面となす角度が、前記透明板の内周側から外周側に向かうにつれて大きくなること、を特徴とする配列型表示装置（１００）である。
請求項６の発明は、請求項１から請求項５までのいずれか１項に記載の配列型表示装置において、前記出光側偏向部（２２Ａ）は、前記透明板（２０Ａ〜２０Ｄ）の内周側から外周側に向かうにつれて、前記表示部（１１Ａ〜１１Ｄ）との距離が小さくなり、前記曲面の接平面又は前記斜面が前記表示部の表示面に平行な面となす角度が、外周側に向かうにつれてしだいに大きくなること、を特徴とする配列型表示装置（１００）である。
【発明の効果】
【０００９】
本発明によれば、表示装置間の非表示領域の視認が大幅に低減され、画像の連続性が高く、良好な画像を表示可能な配列型表示装置を提供できるという効果を奏する。
【図面の簡単な説明】
【００１０】
【図１】実施形態の配列型表示装置１００を説明する図である。
【図２】実施形態の配列型表示装置１００が備える表示装置１０Ａ及び透明板２０Ａを説明する図である。
【図３】実施形態の配列型表示装置１００の断面の一部を示す図である。
【図４】実施形態の透明板２０Ａに入射した光について説明する図である。
【図５】実施形態の配列型表示装置１００において、隣接する表示装置１０Ａ，１０Ｄの連接部分の断面の一部を拡大して示した図である。
【図６】図５に示す角度Φの領域内に進む光について説明する図である。
【図７】比較例１の透明板１２０Ａを説明する図である。
【図８】比較例２の透明板２２０Ａを説明する図である。
【図９】透明板２０Ａの変形形態を示す図である。
【図１０】配列型表示装置１００の変形形態を説明する図である。
【発明を実施するための形態】
【００１１】
以下、図面等を参照して、本発明の実施形態について説明する。なお、図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【００１２】
（実施形態）
図１は、本実施形態の配列型表示装置１００を説明する図である。
図２は、本実施形態の配列型表示装置１００が備える表示装置１０Ａ及び透明板２０Ａを説明する図である。図２（ａ）は、図１に示す矢印Ａ１−Ａ２に沿って配列型表示装置１００の厚み方向に平行に切断した断面を示した図である。図２（ｂ）は、表示装置１０Ａを観察者側の正面方向から見た平面図である。図２（ｃ）は、透明板２０Ａを観察者側の正面方向から見た平面図であり、図２（ｄ）は、透明板２０Ａを表示装置１０Ａ側の正面方向から見た平面図である。
なお、理解を容易にするために、図２（ｂ），（ｃ），（ｄ）では、代表として表示装置１０Ａ，透明板２０Ａのみを示しているが、他の表示装置１０Ｂ〜１０Ｄ及び透明板２０Ｂ〜２０Ｄでも表示装置１０Ａ及び透明板２０Ａと同様の形状を有している。
【００１３】
配列型表示装置１００は、表示装置部１０と、透明板部２０とを備えている。この透明板部２０は、厚み方向において、表示装置部１０の観察者側に設けられている。透明板部２０と表示装置部１０とは、接合層３０（図２参照）により一体に接合されている。この接合層３０は、光透過性が高く、透明板部２０と屈折率が等しく（もしくは。屈折率差が略無いに等しく）、光学的に等価であるものを用いることが好ましい。
【００１４】
表示装置部１０は、図１に示すように、映像を表示する表示装置が複数配列されて形成される部分である。
表示装置部１０は、表示装置１０Ａ〜１０Ｄが、その映像を表示可能な表示部１１Ａ〜１１Ｄの観察側表面となる表示面が１つの平面上に位置するように互いに隣接して配列されている。また、表示装置１０Ａ〜１０Ｄは、縦横、即ち、使用状態における配列型表示装置１００の画面上下方向及び画面左右方向に２つずつ配列されており、配列型表示装置１００の厚み方向は、表示部１１Ａ〜１１Ｄの表示面に垂直な方向に平行である。また、配列型表示装置１００の正面方向は、その厚み方向に平行である。
なお、配列型表示装置１００を形成する表示装置の数は、所望される画面サイズの大きさ等に伴い変更可能であり、４つに限らず、２つとしてもよいし、６つや８つ、９つ等としてもよい。
【００１５】
図２（ｂ）に示すように、表示装置１０Ａは、その表示部１１Ａの表示面に垂直な方向（表示装置１０Ａの観察者側正面方向）から見て、映像を表示可能な表示画面となる表示部１１Ａと、表示部１１Ａの周囲に位置し、枠部材や電極部等によって映像を表示できない非表示部１２Ａとを有する。
表示部１１Ａは、略矩形状であり、その外周側に非表示部１２Ａが表示部１１Ａに隣接して位置している。なお、表示装置１０Ａを挙げて表示部１１Ａ及び非表示部１２について説明したが、他の表示装置１０Ｂ〜１０Ｄも同様の形状である表示部及び非表示部を有している。
この表示装置１０Ａ〜１０Ｄは、プラズマ表示装置、液晶表示装置、有機ＥＬ表示装置（有機ＬＥＤ表示装置）等としてもよいし、背面投射型表示装置としてもよい。
【００１６】
透明板部２０は、表示装置部１０の表示画面の観察者側に配置された透明な略平板状の部材である。この透明板部２０は、図１に示すように、略平板状の部材である透明板２０Ａ〜２０Ｄが、縦横（使用状態における配列型表示装置１００の画面上下方向及び画面左右方向）に２つずつ隣接して配列されている。
透明板部２０を形成する透明板２０Ａ〜２０Ｄは、光透過性が高い材料を用いて形成されることが好ましく、透明であることが好ましい。透明板２０Ａ〜２０Ｄの材料としては、ポリカーボネート（ＰＣ）樹脂、アクリル系樹脂、スチレン樹脂、オレフィン系樹脂、ガラス、セラミック等を適宜選択して用いることができる。また、透明板２０Ａ〜２０Ｄは、前述の材料を用いた射出成形法、キャスト成形法等や、前述の材料により形成された板材を切削する切削法等により形成される。
【００１７】
この透明板２０Ａ，２０Ｂ，２０Ｃ，２０Ｄは、それぞれ、厚み方向において、表示装置１０Ａ，１０Ｂ，１０Ｃ，１０Ｄの観察者側であって各表示装置に対応する位置に配置されている。また、配列型表示装置１００の画面の正面方向から見て、透明板２０Ａ〜２０Ｄの大きさは、それぞれ、対応する表示装置１０Ａ〜１０Ｄの大きさに一致している。
図２（ｃ）に示すように、透明板２０Ａの観察者側（出光側）の面は、平面部２１Ａと、平面部２１Ａの外周側に位置する出光側偏向部２２Ａとを備えている。
また、図２（ｄ）に示すように、透明板２０Ａの表示装置部１０側（入光側）の面は、平面部２３Ａと、平面部２３Ａの外周側に位置する入光側偏向部２４Ａと、入光側偏向部２４Ａの外周側に位置する平面状の外周部２７Ａとを有している。
【００１８】
この外周部２７Ａは、平面部２３Ａに平行な平面であり、観察者側正面方向から見て、非表示部１２Ａに対応する領域に位置する接合部２６Ａと、接合部２６Ａよりも入光側偏向部２４Ａ側に位置する第２平面部２５Ａとを有している。
また、側面２８Ａは、図２（ａ）に示すように、厚み方向に平行であり、平面部２１Ａ，２３Ａに直交する面である。
なお、ここでは、透明板２０Ａを例に挙げて説明したが、他の透明板２０Ｂ〜２０Ｄも同様の形状を有している。
【００１９】
本実施形態では、図１等に示すように、出光側偏向部２２Ａ〜２２Ｄは、正面方向（平面部２１Ａ〜２１Ｄに垂直な方向）から見て、透明板２０Ａ〜２０Ｄの観察者側の面の画面上下端部及び画面左右端部に位置している。また、透明板２０Ａ〜２０Ｄの表示装置部１０側の面の画面上下端部及び画面左右端部には、外周部２７Ａ〜２７Ｄが位置し、その内周側に隣接して入光側偏向部２４Ａ〜２４Ｄが形成される。
また、本実施形態の出光側の平面部２１Ａ〜２１Ｄ及び入光側の平面部２３Ａ〜２３Ｄは、正面方向から見てその大きさが表示部１１Ａ〜１１Ｄよりもやや小さい形態となっている。
【００２０】
図３は、本実施形態の配列型表示装置１００の断面の一部を示す図である。この図３では、図１に示すＡ１−Ａ２ラインに沿って配列型表示装置１００の厚み方向に平行に切断した断面の一部を拡大し、理解を容易にするために、表示装置１０Ａ及び透明板２０Ａのみを示し、かつ、表示装置１０Ａの構成に関しては大幅に簡略化して示している。また、図３中において、左側が表示装置１０Ａの画面外側であり、右側が表示装置１０Ａの画面内側（画面中央側）である。
なお、図３及び後述の図４，図９においては、表示装置１０Ａ及び透明板２０Ａの四辺のうち、１つの辺の断面のみを示しているが、その四辺において同様の形状である。また、以下の説明においては、理解を容易にするために、表示装置１０Ａ及び透明板２０Ａを挙げて説明するが、特に断りがある場合を除いて、他の表示装置１０Ｂ〜１０Ｄ及び透明板２０Ｂ〜２０Ｄにおいても同様の形状であるとする。
【００２１】
透明板２０Ａの出光側の平面部２１Ａは、表示部１１Ａの表示面に平行な面である。この平面部２１Ａを正面方向から見た形状は、表示部１１Ａの形状に相似であり、矩形状となっている。
出光側偏向部２２Ａは、平面部２１Ａの外周側に平面部２１Ａに隣接して設けられている（図１及び図２（ａ），（ｃ）参照）。
出光側偏向部２２Ａは、観察者側に凸となる曲面であり、透明板２０Ａの内周側から外周側に向かうにつれて、表示部１１Ａとの距離が小さくなり、出光側偏向部２２Ａの接平面が表示部１１Ａの表示面に平行な面となす角度が、外周側に向かうにつれてしだいに大きくなっている。
図３に示す断面において、出光側偏向部２２Ａの最も外周側となる点Ｔ１は、厚み方向において最も表示装置１０Ａ側に位置する。
【００２２】
透明板２０Ａの入光側の平面部２３Ａは、表示部１１Ａの表示面に平行な面である。この平面部２３Ａを正面方向から見た形状は、表示部１１Ａの形状に相似であり、矩形状となっている。
入光側偏向部２４Ａは、平面部２３Ａの外周側に隣接して設けられている（図２（ｄ）参照）。入光側偏向部２４Ａは、図３に示すように、観察者側に凸となる曲面であり、透明板２０Ａの内周側から外周側に向かうにつれて、表示部１１Ａとの距離が小さくなり、その曲面の接平面が表示部１１Ａの表示面となす角度が、内周側から外周側に向かうにつれて大きくなっている。
【００２３】
外周部２７Ａは、入光側偏向部２４Ａの外周側に隣接し、平面部２３Ａに平行な面である。外周部２７Ａは、第２平面部２５Ａと、接合部２６Ａとを有している。外周部２７Ａは、厚み方向において、平面部２３及び入光側偏向部２４Ａよりも表示装置１０Ａ側に位置している。
第２平面部２５Ａは、入光側偏向部２４Ａの外周側に隣接しており、配列型表示装置１００の正面方向から見て、表示部１１Ａの最外周側となる領域に形成されている外周側平面部である。
接合部２６Ａは、透明板２０Ａの表示装置１０Ａ側の面の最も外周側であり、第２平面部２５Ａの外周側であって非表示部１２Ａに対応する領域に形成されている。この接合部２６Ａと非表示部１２Ａとが接合層３０を介して接合されることにより、透明板２０Ａと表示装置１０Ａとが接合されている。
図２（ａ）及び図３に示すように、透明板２０Ａの第２平面部２５Ａ、入光側偏向部２４Ａ及び平面部２３Ａと、表示装置１０Ａの表示部１１Ａとの間には、所定の厚さで空気層４０が形成されている。
【００２４】
図３に示す断面において、各部の寸法等は、以下の通りである。
非表示部１２Ａの幅、即ち、非表示部１２Ａの観察者側の最も画面外側となる点Ｔ３（点Ｔ１を通り透明板２０Ａの板面に垂直な線と、表示装置１０Ａの表示面を含む平面との交点となる点）と前記表示部１１の最も画面外側となる点（非表示部１２Ａの観察者側の最も画面内側となる点）Ｔ４との間の寸法は、Ｗである。従って、対応する接合部２６Ａの幅も、Ｗである。
【００２５】
外周部２７Ａの幅、即ち、外周部２７Ａの最も外側となる点Ｔ２（点Ｔ１を通り、透明板２０Ａの板面に垂直な線と、第２平面部２５Ａを含む平面との交点）と最も内側となる点Ｔ５との間の寸法は、Ｄ１である。
出光側偏向部２２Ａの幅（平面部２１Ａに平行な方向における出光側偏向部２２Ａの最も外側の点Ｔ１と最も内側となる点Ｔ７との間の寸法）は、Ｄ２である。
入光側偏向部２４Ａの幅（平面部２３Ａに平行な方向における入光側偏向部２４Ａの最も外側の点Ｔ５と最も内側となる点Ｔ６との間の寸法）は、Ｄ３である。
第２平面部２５Ａの幅（平面部２３Ａに平行な方向における第２平面部２５Ａの最も外側の点Ｔ８と最も内側の点Ｔ５との間の寸法）は、Ｄ４である。
【００２６】
ここで、本実施形態の上述の幅Ｗ、Ｄ１〜Ｄ４は、Ｄ２＝Ｄ１＋Ｄ３＝Ｗ＋Ｄ４＋Ｄ３という関係を満たしている。なお、幅Ｗ、Ｄ１〜Ｄ４は、Ｄ２＞Ｄ１＋Ｄ３＝Ｗ＋Ｄ４＋Ｄ３という関係を満たしていてもよい。
出光側偏向部２２Ａの最も外周側（最も表示装置１０Ａ側）となる点Ｔ１から、外周部２７Ａの点Ｔ２までの厚み方向における寸法が、Ｈである。
【００２７】
ここで、入光側偏向部２４Ａ及び第２平面部２５Ａを備えていない比較例１の透明板１２０Ａ及び第２平面部２５Ａを備えていない比較例２の透明板２２０Ａについて、その問題点等を説明する。
図７は、比較例１の透明板１２０Ａを説明する図である。
図７及び後述の図８は、比較例１の透明板１２０Ａ及び比較例２の透明板２２０Ａにおける、本実施形態の図３に示す断面に相当し、表示装置１０Ａ及び各比較例の透明板のみを示し、かつ、表示装置１０Ａの構成に関しては大幅に簡略化して示している。
この比較例１の透明板１２０Ａは、観察者側に平面部１２１Ａ及び曲面部１２２Ａを有し、表示装置側に平面部１２３Ａを有している板状の部材である。比較例１の透明板１２０Ａは、入光側偏向部２４Ａ及び第２平面部２５Ａを備えていない。
【００２８】
平面部１２１Ａは、本実施形態の平面部２１Ａに相当する平面であり、表示部１１Ａの表示面に平行である。平面部１２３Ａは、平面部１２１Ａ及び表示部１１の表示面に平行な平面である。
曲面部１２２Ａは、本実施形態の出光側偏向部２２Ａに相当し、透明板１２０Ａの観察者側の面の外周部、即ち、平面部１２１Ａの外周側に隣接する位置に設けられている。
【００２９】
比較例１の透明板１２０Ａでは、図７に示す断面において、表示装置１０Ａの表示部１１Ａの外周部から、外周側（画面外側）に斜めに出射した光の一部（光Ｌａ）は、透明板２０Ａの表示装置側の平面部１２３Ａに入射して屈折する。この屈折により、光Ｌａが正面方向（平面部１２１Ａに垂直な方向）となす角度は小さくなるが、やはり外周側へ進む。そして、観察者側の曲面部１２２Ａで屈折して、光Ｌａは、正面方向に出射する。
これにより、比較例１の透明板１２０Ａでは、透明板１２０Ａを正面方向から見た場合、画像が表示されない非表示部１２Ａに対応する透明板１２０Ａの領域からも正面方向に映像光が出射するので、画像として観察され、非表示部１２Ａが視認されないという効果を有する。
【００３０】
次に、比較例１の透明板１２０Ａの曲面部１２２Ａの外周部から、外周側（画面外側）へ斜めに出射する光を考える。
図７に示すように、表示装置１０Ａの表示部１１Ａから外周側へかなり大きな角度（表示部１１Ａの表示面に垂直な方向とのなす角が外周側へ大きい方向）に出射する光Ｌｂが、比較例１の透明板１２０Ａの平面部１２３Ａに入射し、曲面部１２２Ａから画面外側へ斜めに進む。
【００３１】
一般に、表示装置１０Ａが液晶表示装置等の場合、表示部１１Ａからの出射する光は、表示面に垂直な方向が最も光量が多く、光の強度も強いが、表示面に垂直な方向に対してなす角度が大きくなるにつれて、光量が少なくなり、光の強度も弱くなる。従って、この光Ｌｂのように、表示部１１Ａからの出射角度が大きな光では、その光量も小さく、光の強度も小さい。
また、観察側の曲面部１２２Ａからの出射方向が、より外周側（画面外側）になり、表示部１１Ａの表示面に垂直な方向に対してなす角度が大きくなるにつれて、表示装置１０Ａの表示部１１Ａからの出射角度も大きくなる。そして、観察側の曲面部１２２Ａからの出射方向が、さらに外周側となり、表示部１１Ａの表示面に垂直な方向に対して外周側へ４０°程度となるような光を仮に想定した場合、上記の表示装置１０Ａの表示部１１Ａからの出射角が９０°となり、そのような方向に出射する光が透明板１２０Ａに入射することは不可能である。
従って、観察者が、比較例１の透明板２０Ａを備える配列型表示装置の曲面部１２２Ａを、画面外側から斜めに見たときに、その方向へ進む映像光の光量が少ない、もしくは、その方向へ進む映像光がないので、非表示部１２Ａが視認されてしまう。
【００３２】
次に、比較例１の透明板１２０Ａの曲面部１２２Ａの外周部から、内周側（画面内側）へ斜めに出射する光を考える。
比較例１の透明板１２０Ａの曲面部１２２Ａの点ｐ１から、内周側へ斜めに出射する光Ｌｃが、透明板１２０Ａ内を透過している際に透明板１２０Ａの板面に垂直な方向（正面方向）となす角を角度ａとする。また、同じ点ｐ１から正面方向に出射する光Ｌａが、透明板１２０Ａ内を透過している際に、透明板１２０Ａの板面に垂直な方向（正面方向）となす角を角度ｂとする。このとき、角度ａ，ｂは、ａ＜ｂという関係となる。
【００３３】
また、図７に示すように、光Ｌｃが表示部１１Ａから出射するときの出射角度（表示面に垂直な方向となす角度）も、同じ点ｐ１から正面方向へ出射する光Ｌａの出射角度よりも小さい。
前述のように、一般的な液晶表示装置では、表示面からの出射角度が小さい光の方が、その強度が強く、光量も多い。従って、この透明板１２０Ａからは、内周側へも正面方向と略同等の強度及び光量で、映像光が出射するので、観察者が画面内側から斜めに観察した場合には、非表示部１２Ａは視認されない。
【００３４】
図８は、比較例２の透明板２２０Ａを説明する図である。
比較例２の透明板２２０Ａは、観察者側に、平面部２２１Ａ及び曲面部２２２Ａを有し、表示装置側に、平面部２２３Ａ及び曲面部２２４Ａを有している。比較例２の透明板２２０Ａは、表示装置側の第２平面部２５Ａを有していない。
平面部２２１Ａは、本実施形態の平面部２１Ａに相当する平面であり、表示部１１Ａの表示面に平行である。平面部２２３Ａは、本実施形態の平面部２３Ａに相当し、平面部２２１Ａ及び表示部１１の表示面に平行な平面である。
曲面部２２２Ａは、本実施形態の出光側偏向部２２Ａに相当する曲面である。
曲面部２２４Ａは、本実施形態の入光側偏向部２４Ａと同様に観察者側に凸となる曲面であるが、表示装置１０Ａの正面方向から見て、表示部１１Ａの最外周部となる領域（非表示部１２Ａに隣接する領域）に対応する領域に形成されている。
【００３５】
比較例２の透明板２２０Ａのように、表示装置側に曲面部２２４Ａを形成すると、観察者側の曲面部２２２Ａから正面方向に出射する光Ｌｄは、表示部１１Ａからの出射角度（表示面に垂直な方向となす角度）が、前述の比較例１の透明板１２０Ａのように曲面部２２４Ａを有しない場合（表示装置側が一平面である場合）に比較して小さくなる。
即ち、比較例２の透明板２２０Ａでは、表示装置１０Ａの表示部１１Ａからの出射角度が小さい光Ｌｄが、透明板２２０Ａの曲面部２２２Ａの非表示部１２Ａに対応する領域から、表示面に垂直な方向（正面方向）に出射する。
【００３６】
また、表示装置側の曲面部２２４Ａに入射し、観察者側の曲面部２２２Ａの外周部付近から外周側へ出射する光Ｌｅは、図８に示すように、曲面部２２４Ａでの屈折での角度変化が、前述の比較例１の光Ｌｂが平面部１２３Ａに入射して屈折する際の角度変化よりも小さい。そして、この光Ｌｅは、表示装置１０Ａの表示部１１Ａからの出射角度が、前述の比較例１の光Ｌｂよりも小さい。
従って、前述の比較例１の透明板１２０Ａに比べて、比較例２の透明板２２０Ａの方が、透明板２２０Ａの曲面部２２２Ａの外周部から外周側へ斜め方向に出射する光の光量が多く、光の強度も十分あるので、比較例２の透明板２２０Ａを備える配列型表示装置の曲面部２２２Ａを画面外側から斜めに見たとき、非表示部１２Ａが視認されにくい。また、前述の比較例１の透明板１２０Ａに比べて、比較例２の透明板２２０Ａの方が、曲面部２２２Ａから正面方向へ出射する光も、十分な光量と強度を有するので、正面方向から見た場合にも非表示部１２Ａが視認されにくい。
【００３７】
次に、比較例２の透明板２２０Ａの曲面部２２２Ａの外周部から、内周側（画面内側）へ斜めに出射する光を考える。
図８に示すように、透明板２２０Ａの曲面部２２２Ａの点ｐ２（前述の点ｐ１に相当する点）から、内周側へ斜めに出射する光Ｌｆは、同じ点ｐ２から正面方向へ出射する光Ｌｄに比べて、透明板２２０Ａ内を透過している際に、透明板２２０Ａの板面に垂直な方向（正面方向）となす角度が小さい。しかし、光Ｌｆ及び点ｐ２から正面方向へ出射する光Ｌｄは、曲面部２２４Ａに入射する際に屈折しており、光Ｌｆが表示部１１Ａから出射するときの出射角度は、同じ点ｐ２から正面方向へ出射する光Ｌｄの出射角よりも大きい。従って、比較例２の透明板２２０Ａでは、曲面部２２２Ａから画面内側へ斜めに出射する光の量は少なく、その強度も小さい。
【００３８】
また、曲面部２２４Ａから出射する光Ｌｆが正面方向となす角度が大きくなり、２０°前後となると、表示部１１Ａからの出射角度が大きくなり、その方向に進むように透明板２２０Ａに入射する光が存在しなくなるため、曲面部２２２Ａを観察者が画面内側から斜めに観察した場合に、非表示部１２Ａが視認されてしまう。
さらに、例えば、光Ｌｆは、図８に示す断面において、非表示部１２Ａに隣接する表示部１１Ａの最外周となる点から画面内側へ斜めに出射した光である。従って、画面内側から観察した場合に非表示部１２Ａが視認されないようにするためには、曲面部２２４Ａの非表示部１２Ａに隣接した部分においては、非表示部１２Ａから画面内側に斜めに出射した光が入射する必要がある。しかし、実際には、非表示部１２Ａから出射する光はない。従って、画面内側から観察者が斜めに観察した場合に、非表示部１２Ａが視認される要因になる。
以上のように、比較例２の透明板２２０Ａは、比較例１の透明板１２０Ａに比べて、観察者が画面外側から斜めに見た場合には非表示部１２Ａが視認されにくくなるが、画面内側から斜めに見たときには非表示部１２Ａが視認されやすくなる。
【００３９】
これに対して、本実施形態の透明板２０Ａは、正面方向から見ても、画面外側又は画面内側から斜めに見ても、非表示部１２Ａが視認されない。
図４は、本実施形態の透明板２０Ａに入射した光について説明する図である。
表示部１１Ａの平面部２３Ａに対応する領域から正面方向（表示面の法線方向）に出射した光Ｌ１は、図４に示すように、平面部２３Ａに入射して透明板２０Ａを透過し、平面部２１Ａから正面方向へ出射する。
一方、表示部１１Ａの外周側（非表示部１２Ａ側）端部から画面外側へ斜めに出射し、第２平面部２５Ａに入射した光Ｌ２，Ｌ３は、第２平面部２５Ａと空気層４０との界面で屈折して透明板２０Ａ内を透過し、出光側偏向部２２Ａに入射する。そして、光Ｌ２，Ｌ３は、出光側偏向部２２Ａと空気との界面で屈折して、表示装置１０Ａの画面中央側に曲げられて、正面方向へ進む。
【００４０】
また、光Ｌ２，Ｌ３よりも表示部１１Ａのやや内周側から画面外側へ斜めに出射し、入光側偏向部２４Ａに入射した光Ｌ４は、入光側偏向部２４Ａと空気層４０との界面で屈折して透明板２０Ａ内を透過し、出光側偏向部２２Ａに入射する。そして、光Ｌ４は、出光側偏向部２２Ａと空気との界面で屈折して、表示装置１０Ａの画面中央側に曲げられて、正面方向へ進む。
このため、この表示装置１０Ａを観察側の正面方向から観察すると、透明板２０Ａ全体に画像が表示されているように観察され、非表示部１２Ａが視認されない。
【００４１】
また、表示部１１Ａの外周側（非表示部１２Ａ側）端部から画面外側へ斜めに出射し、第２平面部２５Ａに入射した光の一部は、その入射角度等によっては、光Ｌ５のように、出光側偏向部２２Ａから、画面内側へ斜めに出射する。このような光は、表示部１１Ａから表示面の垂直方向に対して、光Ｌ２，Ｌ３等に比べて小さい角度で出射した光であり、その光量は十分にある。
また、表示部１１Ａの外周側（非表示部１２Ａ側）端部から画面外側へ斜めに出射し、入光側偏向部２４Ａに入射した光の一部は、その入射角度によっては、光Ｌ６のように、出光側偏向部２２Ａから、画面外側へ斜めに出射する。このような光は、表示部１１Ａから表示面の垂直方向に対して、光Ｌ２，Ｌ３等と同程度の出射角度で出射した光であり、その光量は十分にある。
【００４２】
このように透明板２０Ａの表示装置側（入光側）であって非表示部１２の近傍となる領域に、第２平面部２５Ａ及び入光側偏向部２４Ａを形成することにより、透明板２０Ａの観察側の最外周部近傍において、透明板２０Ａから、画面内側方向にも、画面外側方向にも映像光が十分に出射する。従って、正面方向に限らず、斜めの方向から見ても、非表示部１２Ａが視認されない。
【００４３】
次に、この第２平面部２５Ａを形成すべき領域について説明する。
図５は、本実施形態の配列型表示装置１００において、隣接する表示装置１０Ａ，１０Ｄの連接部分の断面の一部を拡大して示した図である。この図５は、図２（ａ）に示す断面の一部を拡大して示した図に相当する。
透明板２０Ａ，２０Ｄの連接部分、即ち、側面２８Ａと側面２８Ｄとの連接部Ｓを、連接部Ｓを通り、表示部１１Ａ，１１Ｄの表示面に垂直な直線Ｋ上から見たとき、直線Ｋ方向（正面方向）に出射してくる光が存在すれば、連接部Ｓは視認されない。この連接部Ｓは、後述するように、角度Φの領域内からしか視認されないため、角度Φ内に満遍なく表示部からの映像光が出射すれば、表示装置の連接部分における画面の連続性が向上する。
【００４４】
ここで、直線Ｋ上から、表示装置１０Ａの画面内側に観察者が移動して、連接部Ｓを斜め方向から観察した場合、透明板２０Ａの出光側偏向部２２Ａの点Ｔ１における接線ＴＡよりも斜め側（直線Ｋとなす角度が大きい側）から見ると、出光側偏向部２２Ａに遮られて、連接部Ｓが見えない。
従って、連接部Ｓが、直線Ｋ上から見て、映像が表示されない継目部分として視認されないようにするには、出光側偏向部２２Ａの最も連接部Ｓ側となる点Ｔ１での出光側偏向部２２Ａの接線ＴＡ、及び、点Ｔ１での出光側偏向部２２Ｄの接線ＴＢとで形成され、直線Ｋを含む、角度Φの領域の内側に、十分に映像光が出射すればよい。
【００４５】
図６は、図５に示す角度Φの領域内に進む光について説明する図である。
図６において、透明板２０Ａの点Ｔ１に、透明板２０Ａの板面に垂直な方向（正面方向）に対して角度α（°）で入射して、透明板２０Ａの点Ｔ１から接線ＴＡ方向に光Ｌ７が出射するためには、接線ＴＡが、正面方向となす角をθ（°）とし、透明板２０Ａの屈折率をＮとするとき、角度αは、以下の式を満たしている必要がある。
α＝９０°−（θ＋ａｒｃｓｉｎ（１／Ｎ））  ・・・（式１）
このような光Ｌ７が点Ｔ１に入射するためには、寸法Ｈ（厚み方向における点Ｔ１と点Ｔ２との間の寸法）、幅Ｗ（非表示部１２Ａの幅、点Ｔ３と点Ｔ４との間の寸法）とは、以下の式を満たす必要がある。
Ｈ≧Ｗ／（ｔａｎ（α））  ・・・（式２）
【００４６】
寸法Ｈが上記の（式２）を満たさず、Ｈ＜Ｗ／（ｔａｎ（α））となる場合には、点Ｔ８で透明板２０Ａに入射し、透明板２０Ａ内において点Ｔ１に向かって進み、点Ｔ１に入射して出光側偏向部２２Ａで屈折される光は接線ＴＡ方向よりも画面外側に進む。
そのため、出光側偏向部２２Ａの最外周に位置する点Ｔ１から接線ＴＡ方向に映像光が出射せず、画面内側から斜めに観察した場合等に、非表示部１２Ａが観察者に映像が表示されない継目（目地）として認識され、配列型表示装置における画像の連続性及び視認性が低下し、画質が低下する。
【００４７】
また、寸法Ｈが、Ｗ／（ｔａｎ（α））の値よりも大きくなるにつれて、出光側偏向部２２Ａから連接部Ｓの正面方向となる直線Ｋ方向に出射する光の表示部１１Ａからの出射点が、より画面内側（画面中央側）となる。そのため、寸法ＨがＷ／（ｔａｎ（α））の値よりも余りに大きな値となった場合には、出光側偏向部２２Ａから正面方向に出射する光が表示する画像と、出光側偏向部２２Ａに隣接する平面部２１Ａから正面方向へ出射する光が表示する画像とのずれが大きくなり、配列型表示装置１００の画面としての画像の連続性が損なわれるため好ましくない。
【００４８】
従って、連続性が良好な画像を表示するという観点から、寸法Ｈは、前述の式２を満たしつつも、Ｗ／（ｔａｎ（α））に近しい値であり、Ｗ／（ｔａｎ（α））の値よりもあまり大きくしすぎないことが好ましい。具体的には、寸法Ｈは、以下の式３を満たすことが好ましい。
Ｈ≦１．１×Ｗ／（ｔａｎ（α））  ・・・（式３）
寸法Ｈが、Ｈ＞１．１×Ｗ／（ｔａｎ（α））となる場合には、上述のように、画像の連続性が損なわれる。
以上のことから、寸法Ｈは、以下の２式を満たすことが好ましい。
Ｈ≧Ｗ／（ｔａｎ（α））  ・・・（式２）
Ｈ≦１．１×Ｗ／（ｔａｎ（α））  ・・・（式３）
【００４９】
次に、表示部１１Ａから出射し、第２平面部２５Ａに入射して透明板２０Ａの点Ｔ１に入射する光は、図６に示すように、第２平面部２５Ａ内において画面内側に入射すればするほど、点Ｔ１に入射する入射角度が小さくなり、点Ｔ１で出光側偏向部２２Ａから出射する際の屈折角も小さくなる。そして、さらに第２平面部２５Ａ内においてより画面内側に入射するにつれて、点Ｔ１から透明板２０Ａの画面外側の方向に進むようになる。
従って、表示部１１Ａから画面外側へ斜めに出射し、第２平面部２５Ａの最も外側となる点Ｔ８に入射して点Ｔ１に入射した光は、接線ＴＡ方向に進むが、それよりも、第２平面部２５Ａの画面内側に入射した光は、点Ｔ１から、接線ＴＡよりも画面外側の方向に進む。そして、第２平面部２５Ａのより画面内側となる点Ｔ９に入射した光は、点Ｔ１から直線Ｋ方向に進み、さらに点Ｔ９よりも画面内側となる点に入射した光は、隣接する透明板２０Ｄの出光側偏向部２２Ｄの点Ｔ１での接線ＴＢ側に進む。
【００５０】
ここで、第２平面部２５Ａの最も画面内側の点Ｔ５に入射した光Ｌ８が、点Ｔ１から出射して接線ＴＢ方向に出射するとき、外周部２７Ａの幅Ｄ１は、以下の式を満たす。
Ｄ１＝Ｈ×ｔａｎ（９０°−（θ＋ａｒｃｓｉｎ（（ｓｉｎ（９０°−２θ））／Ｎ）））  ・・・（式４）
なお、図６において、光Ｌ７が点Ｔ１から接線ＴＡ方向に出射するとき、寸法Ｈは、Ｈ＝Ｗ／（ｔａｎ（α））となる。また、第２平面部２５Ａの幅Ｄ４は、Ｄ４＝Ｄ１−Ｗである。
外周部２７Ａの幅Ｄ１、第２平面部２５Ａの幅Ｄ４を、上述の式を満たすものとすることにより、接線ＴＡ及び接線ＴＢで形成される角度Φの領域の全ての方向にわたって、光が出射する。また、隣接する表示装置１０Ｄ及び透明板２０Ｄにおいても、同様に、角度Φの領域内の全ての方向にわたって、光が出射する。さらに、他の表示装置１０Ｂ，１０Ｃ及び透明板２０Ｂ，２０Ｃにおいても同様である。
従って、本実施形態によれば、各透明板の連接部Ｓや非表示部１２Ａ，１２Ｄが視認されない、良好な配列型表示装置１００とすることができる。
【００５１】
ここで、外周部２７Ａの幅Ｄ１が、Ｄ１＞Ｈ×ｔａｎ（９０°−（θ＋ａｒｃｓｉｎ（（ｓｉｎ（９０°−２θ））／Ｎ）））となる場合には、第２平面部２５Ａに入射して点Ｔ１に入射する光の一部は、接線ＴＢよりも外側に出射し、隣接する透明板２０Ｄの出光側偏向部２２Ｄに入射して、透明板２０Ｄの内部を進行してしまい、観察者に到達しない無効な光となってしまい好ましくない。
また、外周部２７Ａの幅Ｄ１が、Ｄ１＜Ｈ×ｔａｎ（９０°−（θ＋ａｒｃｓｉｎ（（ｓｉｎ（９０°−２θ））／Ｎ）））となる場合には、前述の比較例２の透明板２２０Ａと同様に、画面外側から斜めに見た場合には非表示部１２Ａが視認されにくくなるが、画面内側から斜めに見たときには非表示部１２Ａが視認されやすくなる。
【００５２】
（実施例）
本実施形態の配列型表示装置１００の実施例を作成し、非表示部が視認されるか否かを実際に観察して評価した。なお、透明板２０Ａ及び表示装置１０Ａでの寸法等を挙げて説明するが、透明板２０Ｂ〜２０Ｄ及び表示装置１０Ｂ〜１０Ｄも、透明板２０Ａ及び表示装置１０Ａと同様の形状である。
透明板部２０：
透明板２０Ａ：アクリル樹脂製（屈折率１．４９）
出光側偏向部２２Ａ：半径１２ｍｍの円柱形状の一部
入光側偏向部２４Ａ：半径６ｍｍの円柱形状の一部
寸法Ｈ：８．３ｍｍ
幅Ｗ：４ｍｍ
幅Ｄ１：６．８ｍｍ
出光側偏向部２２Ａの点Ｔ１における接線ＴＡが、透明板２０Ａの板面に垂直な方向（正面方向）となす角度θ＝２２°
なお、このとき、寸法Ｈは、式２において、Ｈ＝Ｗ／（ｔａｎ（α））を満たし、さらに、前述の式１より、以下の値となる。
Ｈ＝Ｗ／（ｔａｎ（α））＝Ｗ／（ｔａｎ（９０°−（θ＋ａｒｃｓｉｎ（１／Ｎ）））））＝８．２６≒８．３
また、このとき、式４は、以下の通り、略満たされている。
（式４）  Ｄ１＝Ｈ×ｔａｎ（９０°−（θ＋ａｒｃｓｉｎ（（ｓｉｎ（９０°−２×θ））／Ｎ）））＝６．７５≒６．８
【００５３】
上記のような形状の透明板２０Ａ〜２０Ｄを有する透明板部２０を、表示装置部１０の観察者側に配置し、前述の図１に示すような配列型表示装置１００を作製した。
そして、観察者が、配列型表示装置１００の画面上下方向に延在する連接部Ｓに対して画面左右方向に±４０°、画面左右方向に延在する連接部Ｓに対して画面上下方向に±４０°、視点を動かしながら観察したところ、上記角度範囲内において、いずれの角度方向から観察した場合にも、非表示部１２Ａ〜１２Ｄが観察され難く、継目のない連続性の高い良好な画像が観察された。
【００５４】
（変形形態）
以上説明した実施形態に限定されることなく、種々の変形や変更が可能であって、それらも本発明の範囲内である。
図９は、透明板２０Ａの変形形態を示す図である。
図１０は、配列型表示装置１００の変形形態を説明する図である。
なお、図９では、理解を容易にするために、透明板２０Ａや表示装置１０Ａを例に挙げて示しているが、透明板２０Ｂ〜２０Ｄや表示装置１０Ｂ〜１０Ｄにおいても同様に適用可能である。
【００５５】
（１）透明板２０Ａの側面２８Ａは、表示部１１Ａ〜１１Ｄの表示面（観察者側の表面）に垂直な平面状である例を示したが、これに限らず、曲面状としてもよいし、複数の平面等を組み合わせて形成される形状としてもよい。また、側面２８Ａには、反射層等を形成してもよい。
例えば、図９（ａ）に示すように、透明板２０Ａの側面２８Ａに、光を反射可能な反射層５０を形成してもよい。このような形状とすることにより、側面２８Ａに入射する光が反射され、一部が出光側偏向部２２Ａから出射するので、非表示部（継目部分）の視認性をさらに低減することができ、画像の連続性を向上させることができる。
この反射層５０は、側面２８Ａ側の面に凹凸形状を有する形態としてもよい。このような形状とした場合には、側面２８Ａに入射する光が拡散反射されるため、側面２８Ａで反射されて出光側偏向部２２Ａから出射する光の量を増大させ、画像の連続性を向上させることができる。
【００５６】
また、図９（ｂ）に示すように、側面２８Ａの少なくとも一部を斜面２９Ａとしてもよいし、この斜面２９Ａ及び側面２８Ａに反射層５０を形成してもよい。
さらに、図９（ｃ）に示すように、側面２８Ａを曲面状として反射層５０を形成してもよい。
なお、このとき、接合層３０を図９（ｂ），（ｃ）に示すように形成して、透明板２０Ａと表示装置１０Ａとの接合度を高めてもよい。
このような形状とすることにより、側面２８Ａ及び斜面２９Ａで反射して、出光側偏向部２２Ａから出射する光を増やすことができ、画像の連続性を向上させることができる。このとき、反射層５０は，上述のように、側面２８Ａ側の面に凹凸形状を有していてもよい。また、側面２８Ａや斜面２９Ａが、その表面に凹凸形状を有する形態としてもよい。
なお、他の透明板２０Ｂ〜２０Ｄにおいても同様である。
【００５７】
（２）透明板部２０は、１枚の板状の部材から形成してもよい。このような形状とすることにより、観察者には映像の表示される表示画面がより１つの画面として認識されやすくなり、画像の連続性をさらに高めることができる。
【００５８】
（３）配列型表示装置１００は、表示装置１０Ａ〜１０Ｄ及び透明板２０Ａ〜２０Ｄが平面状に配列される例を示したが、これに限らず、例えば、図１０に示すように、表示画面が互いに角度をなすように各表示装置及び透明板を配列してもよい。このような形状とすることにより、配列型表示装置の利便性や意匠性を高め、観察者Ｏに対して、用途や環境に適した画像表示を行うことができる。
【００５９】
（４）出光側偏向部２２Ａ及び入光側偏向部２４Ａは、いずれも曲面状である例を示したが、これに限らず、いずれも、複数の平面（斜面）からなり観察者側に凸となる折れ面状としてもよいし、一方を曲面状とし、他方を折れ面状としてもよい。他の透明板２０Ｂ〜２０Ｄにおいても同様である。
【００６０】
（５）表示装置１０Ａ〜１０Ｄの表示部１１Ａ〜１１Ｄの表示面（観察者側の表面）が平面状である例を示したが、これに限らず、表示画面は、円筒面状や球面状等のように曲面状であってもよい。このような形態とする場合、透明板２０Ａ〜２０Ｄ（特に、平面部２１Ａ〜２１Ｄ，平面部２３Ａ〜２３Ｄ，第２平面部２５Ａ〜２５Ｄ）は、表示装置１０Ａ〜１０Ｄの表示部１１Ａ〜１１Ｄに追従した形状とすればよい。
【００６１】
（６）透明板部２０（透明板２０Ａ〜２０Ｄ）は、適宜所望する光学性能等に応じて、内部に拡散剤を含有する形態としてもよいし、その表面に微細な凹凸形状等によるマット形状が形成されていてもよい。さらに、透明板部２０（透明板２０Ａ〜２０Ｄ）の観察者側に、防眩層や、反射防止層、ハードコート層、防汚層、帯電防止層、紫外線吸収層、タッチパネル層等の各種機能を有する層を適宜設けてもよい。
【００６２】
（７）各実施形態において、配列型表示装置１００として、表示装置部１０は、複数の表示装置１０Ａ〜１０Ｄが配列され、透明板部２０は、個々の表示装置１０Ａ〜１０Ｄに対応した複数の透明板２０Ａ〜２０Ｄが配列される例を示したが、これに限らず、例えば、通常の表示装置（例えば、１つの表示装置１０Ａを備えるもの）においても、透明板２０Ａを備えることにより、その枠部材等による非表示部１２Ａの視認性を低減することができる。
【００６３】
なお、上述の実施形態及び変形形態は、適宜組み合わせて用いることもできるが、詳細な説明は省略する。また、本発明は以上説明した実施形態等によって限定されることはない。
【符号の説明】
【００６４】
１００    配列型表示装置
１０    表示装置部
１０Ａ，１０Ｂ，１０Ｃ，１０Ｄ    表示装置
２０    透明板部
２０Ａ，２０Ｂ，２０Ｃ，２０Ｄ    透明板
２１Ａ，２１Ｂ，２１Ｃ，２１Ｄ    平面部
２２Ａ，２２Ｂ，２２Ｃ，２２Ｄ    出光側偏向部
２３Ａ，２３Ｄ    平面部
２４Ａ，２４Ｄ    入光側偏向部
２５Ａ，２５Ｄ    第２平面部
２６Ａ，２６Ｄ    接合部
２７Ａ，２７Ｄ    外周部
３０    接合部
４０    空気層
【図１】
2015111220.tif 000003
【図２】
2015111220.tif 000004
【図３】
2015111220.tif 000005
【図４】
2015111220.tif 000006
【図５】
2015111220.tif 000007
【図６】
2015111220.tif 000008
【図７】
2015111220.tif 000009
【図８】
2015111220.tif 000010
【図９】
2015111220.tif 000011
【図１０】
2015111220.tif 000012